(57)【特許請求の範囲】
【請求項１】
紙などで作製されたポスターを吊り下げ状態で支持する樹脂製のポスター支持部と、前記ポスター支持部を壁や棚部材などの固定部材に連接する支持本体部材とを有するポスターハンガーにおいて、前記ポスター支持部は、中間リブにより形成される上下２層の中空部を有し、上層の中空部の後方端には前記支持本体部材の挿入部が挿着され、上層の中空部の前方端には、下層の中空部の同側の開放端を開閉自在とするエンドキャップが嵌められると共に、前記下層の中空部の底部には前記ポスターが挿入される割れ目が長手方向に形成されることを特徴とするポスターハンガー。
【請求項２】
前記ポスター支持部の後方端に固定エンドキャップを嵌めることを特徴とする請求項１記載のポスターハンガー。
【請求項３】
前記下層の中空部の前方端を開閉自在とするエンドキャップが、閉位置及び左右９０度に開いた開位置の３か所で位置決め停止できる停止手段を有することを特徴とする請求項１又は２記載のポスターハンガー。
【請求項４】
前記上層の中空部の断面形状が、略円形状である請求項１〜３のいずれか１項記載のポスターハンガー。
【請求項５】
ポスター上方の外周縁に沿う部分にホチキスの抜け止め針が打たれたポスターを吊り下げるものであって、前記下層の中空部の底部に形成された割れ目の幅寸法が、挿入されるポスターの厚みよりやや大きめに形成され、前記抜け止め針によりポスターの脱落を防止することを特徴とする請求項１〜４のいずれか１項記載のポスターハンガー。
【発明の詳細な説明】
【０００１】
【発明の属する技術分野】
本発明は、ホームセンター等で使用される紙などで作製されたポスターを吊り下げ状態で支持するポスターハンガーに関するものである。
【０００２】
【従来の技術】
従来、ホームセンター等のＰＯＰ（広告表示）展開に使用されるポスターを吊り下げ状態で支持するポスターハンガーとしては、ポスター支持部材に棒材を使用し、これにポスタークリップを取付け、ポスターをクリップ止めしたものがある。また、ポスター支持部材に樹脂製のパイプ材を使用し、長手方向に割れ目を形成し、これにポスターを挟み樹脂の弾性力で支持したものがある。
【０００３】
【発明が解決しようとする課題】
しかしながら、近年のＰＯＰ展開においては単なる広告表示機能や商品表示機能に止まらず、意匠性などの外観及び全体との調和等に注意が払われているため、従来のクリップ止めポスターハンガーでは、意匠性が劣り、見劣りがする。また、樹脂性のポスターハンガーは、割れ目等に紙類のポスターを挟み込むのが意外と難しく、且つ面倒である。また、樹脂製のハンガー支持本体部の両端部は開放になっており、これが意匠性を著しく阻害している。従って、意匠性に優れ、紙類のポスターの差し込みが容易なポスターハンガーが望まれていた。
【０００４】
従って、本発明の目的は、意匠性に優れ、紙類のポスターの差し込みが容易なポスターハンガーを提供することにある。
【０００５】
【課題を解決するための手段】
かかる実情において、本発明者は鋭意検討を行った結果、本発明を完成するに至った。すなわち、請求項１記載の発明は、紙などで作製されたポスターを吊り下げ状態で支持する樹脂製のポスター支持部と、前記ポスター支持部を壁や棚部材などの固定部材に連接する支持本体部材とを有するポスターハンガーにおいて、前記ポスター支持部は、中間リブにより形成される上下２層の中空部を有し、上層の中空部の後方端には前記支持本体部材の挿入部が挿着され、上層の中空部の前方端には、下層の中空部の同側の開放端を開閉自在とするエンドキャップが嵌められると共に、前記下層の中空部の底部には前記ポスターが挿入される割れ目が長手方向に形成されることを特徴とするポスターハンガーを提供するものである。従って、ポスターを差し込むには、先ず、上層の中空部の前方端に嵌められたエンドキャップを９０度回して下層の中空部の同側の端部を開状態とし、ここからポスターを差し込む。ポスターの差し込みが終了したら、該エンドキャップを元に戻して前方端の開きを閉じる。これにより、該ポスターハンガーは端部の開放端が外観から認識されず、ポスター支持部が支持棒であるとの印象は薄く、ポスターの一部として認識できるほど意匠性に優れる。更に、紙類のポスターの差し込みが容易である。
【０００６】
請求項２記載の発明は、前記ポスター支持部の後方端に固定エンドキャップを嵌めることを特徴とする前記ポスターハンガーを提供するものである。従って、ポスター支持部の両端部がエンドキャップで閉じられるため一層意匠性に優れる。
【０００７】
請求項３記載の発明は、前記下層の中空部の前方端を開閉自在とするエンドキャップが、閉位置及び左右９０度に開いた開位置の３か所で位置決め停止できる停止手段を有することを特徴とする前記ポスターハンガーを提供するものである。従って、エンドキャップは外力が働かない限り振れたりすることがなく、停止した場所から自然には外れない。このため、ポスターを吊り下げる場合、エンドキャップを９０度回し、手を離してもエンドキャップは開状態を保つことができるから、片手のみでもポスターの吊り下げ作業を完了させることができる。
【０００８】
請求項４記載の発明は、前記上層の中空部の断面形状が、略円形状である前記ポスターハンガーを提供するものである。従って、支持本体部材は棒材を使用でき、嵌め込みも容易である。
【０００９】
請求項５記載の発明は、ポスター上方の外周縁に沿う部分にホチキスの抜け止め針が打たれたポスターを吊り下げるものであって、前記下層の中空部の底部に形成された割れ目の幅寸法が、挿入されるポスターの厚みよりやや大きめに形成され、前記抜け止め針によりポスターの脱落を防止することを特徴とする前記ポスターハンガーを提供するものである。従って、ポスターを容易に差し込むことが出来る他、容易に外れることはない。
【００１０】
【発明の実施の形態】
本発明の実施の形態におけるポスターハンガーを図１〜図１１を参照して説明する。図１はポスターハンガーの正面図、図２は図１の一部の断面図、図３は図２のIII −III 線に沿って見た断面図、図４（Ｂ）は中間スリーブの正面図、（Ａ）は（Ｂ）の左側面図、（Ｃ）は（Ｂ）の右側面図、図５は図４（Ｃ）のII−II線から見た断面図、図６は図２の実線円内の拡大図、図７（Ａ）はエンドキャップの正面図、（Ｂ）は右側面図、（Ｃ）は（Ａ）図のＩ−Ｉ線から見た断面図、図８は図１の右側面図の一部、図９はポスターの一部の斜視図、図１０（Ａ）は固定エンドキャップの正面図、（Ｂ）は（Ａ）右側面図、図１１はポスターハンガーの使用形態を示す斜視図をそれぞれ示す。
【００１１】
図中、ポスターハンガー１０は、ポスターＡを吊り下げるポスター支持部１と、ポスター支持部１を支持する支持本体部材２と、支持本体部材２を固定する棚板部材３とからなる。ポスター支持部１は樹脂製であり、中間リブ１０３により形成される上下２層の中空部４、５を有する。上層の中空部４は断面が円形状で長手方向に後述する中間スリーブ１３の係合鍔１３３と嵌合する嵌合溝１０１、１０１が形成される。下層の中空部５は断面が舌状であり、その底部にはポスターＡが挿入される割れ目１０４が長手方向に形成される。また、上層の中空部４の後方には、後述する固定エンドキャップ１２の係止突起部１２３が係止する係止孔１０２が形成される。
【００１２】
ポスター支持部１の上層の中空部４には、棒状の支持本体部材２の挿入部２２が挿着されている。挿入部の挿入長さは特に制限されず、本実施の形態では確実な支持を担保するため、中空部４の奥深くまで挿入されている。また、支持本体部材２の他の一端は棚板部材などの固定部材３に固定されている。上層の中空部４の前方端には、中間スリーブ１３が嵌合し、中間スリーブ１３には下層の中空部５の同側の一端を開閉自在とするエンドキャップ１１が回転自在に嵌められている。
【００１３】
中間スリーブ１３は樹脂製であり、図４〜図６に示すように、ポスター支持部１の前方端に当接する頭部１３１と、ポスター支持部１の上層の中空部に挿入される筒部１３２とから成る。筒部１３２にはポスター支持部１の嵌合溝部１０１、１０１に係合する係合鍔１３３、１３３が形成され、頭部１３１にはエンドキャップ１１の爪部１１２が係合する係合孔１３５とエンドキャップ位置決め用凹部１３４ａ〜１３４ｃが形成されている。エンドキャップ位置決め用凹部１３４は横中心線の左右の２か所１３４ｂ、１３４ｃ及び縦中心線の上部の１か所１３４ａで、それぞれが９０度の角度を有する位置に形成されている。
【００１４】
エンドキャップ１１は樹脂製であり、図６〜図８に示すように、その断面形状は意匠性を高めるためポスター支持部１の断面形状と同じであり、エンドキャップ本体部１１１と、中間スリーブ１３の係合孔１３５に係合する爪部１１２と、エンドキャップ位置決め用凸部１１３を有している。爪部１１２は溝１１２ｂを挟んで２個の突起を形成し、係合孔１３５に挿入の際、挿入し易いように爪部に弾性を付与している。また、爪部１１２の先端部は中間スリーブ１３の係合孔１３５から脱落しないように亀頭状１１２ａとなっている。また、エンドキャップ位置決め用凸部１１３は上方位置に形成され、中空部５の前方端を閉じる状態で中間スリーブ１３のエンドキャップ位置決め用凹部１３４ａと嵌合するようになっている。従って、エンドキャップ１１を右側面から見て、反時計周りに９０度回せば、エンドキャップ位置決め用凸部１１３は中間スリーブ１３のエンドキャップ位置決め用凹部１３４ｂと嵌合して下層の中空部５の前方端は開状態となる。また、逆に時計周りに９０度回せば、エンドキャップ位置決め用凸部１１３はエンドキャップ位置決め用凹部１３４ｃと嵌合して、同様に下層の中空部５の前方端は開状態となる。
【００１５】
固定用エンドキャップ１２は樹脂製であり、図２及び図１０に示すように、ポスター支持部１の後方の開放端を閉じるもので、その断面形状は、意匠性を高めるためポスター支持部１の断面形状と同じであり、支持本体部材２が貫通する貫通孔１２２を有する本体部１２１と、係止突起材１２３とから成る。係止突起材１２３の先端部は中間リブ１０３に形成された係止孔１０２に係合する係止突起部１２４を有する。従って、ポスター支持部１の後方端より固定エンドキャップ１２を嵌め込めば、緩むことなく所定位置で嵌合でき、また、これを手先きで体感できる。
【００１６】
ポスター支持部１において、その下層の中空部５の底部に形成された割れ目１０４の幅（隙間）寸法は、挿入されるポスターＡの厚みよりやや大きめに形成される。これにより、ポスター支持部１の前方端から後方端へのポスターＡの差し込みを容易にする。この場合、図９に示すように、ポスターＡはその上方の外周縁１４０に沿う部分にホチキスの抜け止め針ａ、ａ、ａ・・・が打たれている。
【００１７】
次に、本実施の形態におけるポスターハンガーの使用方法について説明する。ポスターＡをポスター支持部１に取付けるには次のように行う。先ず、エンドキャップ１１を時計周り又は反時計周りに９０度回転させる（図８の二点鎖線は反時計周りに９０度回転させたものである。）。これにより、ポスター支持部１の下層の中空部５の前方端は開放状態となる。この前方端の開口より、ポスターＡを差し込むが、その際、ホチキスの抜け止め針ａが中空部内に位置するように行う。中空部５内はポスターＡにホッチキスの抜け止め針ａが取付けてあっても十分な空間を有しており、これが差し込みの支障となることはない。前方端から後方端へのポスターＡの挿入が終了したならば、エンドキャップ１１を開く時とは逆の反時計周り又は時計周りに９０度回転させて、中空部５の前方端を閉めた状態にする。これにより、ポスターＡの差し込み作業は終了する。次いで、例えば、図１１に示すような棚板部材や壁面等の固定部材３に複数個のポスターハンガー１０ａ、１０ｂ、１０ｃを取付ければよい。
【００１８】
【発明の効果】
請求項１記載の発明によれば、ポスターを差し込むには、先ず、上層の中空部の前方端に嵌められたエンドキャップを９０度回して下層の中空部の同側の端部を開状態とし、ここからポスターを差し込む。ポスターの差し込みが終了したら、該エンドキャップを元に戻して前方端の開きを閉じる。これにより、該ポスターハンガーは端部の開放端が認められず、ポスター支持棒の印象はなく、ポスターの一部として認識できるほど意匠性に優れる。更に、紙類のポスターの差し込みが容易である。
【００１９】
請求項２記載の発明によれば、前記発明と同様の効果を奏する他、ポスター支持部の両端部がエンドキャップで閉じられるため一層意匠性に優れる。
【００２０】
請求項３記載の発明によれば、前記発明と同様の効果を奏する他、エンドキャップは外力が働かない限り、振れたりすることがなく停止した場所から自然には外れない。このため、ポスターを吊り下げる場合、エンドキャップを９０度回し、手を離してもエンドキャップは開状態を保つことができるから、片手のみでもポスターの吊り下げ作業を完了させることができる。また、エンドキャップの開閉操作は手先を通じて体感できる。
【００２１】
請求項４記載の発明によれば、前記発明と同様の効果を奏する他、支持本体部材は棒材を使用でき、嵌め込みも容易である。また、請求項５記載の発明によれば、前記発明と同様の効果を奏する他、ポスターを容易に差し込むことが出来る他、容易に外れることはない。
【図面の簡単な説明】
【図１】本発明の実施の形態におけるポスターハンガーの正面図を示す。
【図２】ポスター支持部の断面図を示す。
【図３】図２のIII −III 線に沿って見た断面図を示す。
【図４】（Ｂ）は中間スリーブの正面図、（Ａ）は（Ｂ）の左側面図、（Ｃ）は（Ｂ）の右側面図を示す。
【図５】図４（Ｃ）のII−II線から見た断面図を示す。
【図６】図２の実線円内の拡大図を示す。
【図７】（Ａ）はエンドキャップの正面図、（Ｂ）は右側面図、（Ｃ）は（Ａ）図のＩ−Ｉ線から見た断面図を示す。
【図８】図１の右側面図の一部を示す。
【図９】ポスターの一部の斜視図を示す。
【図１０】（Ａ）は固定エンドキャップの正面図、（Ｂ）は（Ａ）右側面図を示す。
【図１１】ポスターハンガーの使用形態を示す斜視図を示す。
【符号の説明】
１  ポスター支持部
２  支持本体部材
３  固定部材
４  上層中空部
５  下層中空部
１０、１０ａ、１０ｂ、１０ｃ  ポスターハンガー
１１  エンドキャップ
１２  固定エンドキャップ
１３  中間スリーブ
２１  挿入部
１０１  中間スリーブ嵌合溝部
１０２  係止孔
１０３  中間リブ
１０４  割れ目
１１１  エンドキャップ本体部
１１２  爪部
１１３  エンドキャップ位置決め用凸部
１２１  固定エンドキャップ本体部
１２３  係止突起材
１３４  エンドキャップ位置決め用凹部
１４０  外周縁
Ａ  ポスター
ａ  ホッチキスの抜け止め針
ｃ  人の手
【図１】
0004229296.tif 000002
【図２】
0004229296.tif 000003
【図３】
0004229296.tif 000004
【図４】
0004229296.tif 000005
【図５】
0004229296.tif 000006
【図６】
0004229296.tif 000007
【図７】
0004229296.tif 000008
【図８】
0004229296.tif 000009
【図９】
0004229296.tif 000010
【図１０】
0004229296.tif 000011
【図１１】
0004229296.tif 000012